(57)【要約】【課題】本発明は、記録媒体の製造方法に関するもので、マスターとなるディスクの劣化を防止することを目的とするものである。【解決手段】そして、この目的を達成するために本発明は、プリフォーマットパターン２９を有するフォトマスク３０が、その表面側に設けられた第一、第二、第三の透明基板３１、３２、３３を、共役ホログラムディスク３４の表面上に順次重合させ、その都度前記第一から第三の透明基板３１〜３３の表面側からと、前記共役ホログラムディスク３４の裏面側から、それぞれ可干渉性の平行光を入射させるものである。【選択図】図１９
2010197584.tif 000002
【特許請求の範囲】
【請求項１】
プリフォーマットパターンを有するフォトマスクが、その表面側に設けられた第一の透明基板を、共役ホログラムディスク表面上に重合させ、次に前記第一の透明基板の表面側からと、前記共役ホログラムディスクの裏面側から、前記第一の透明基板と共役ホログラムディスクの重合体に向けて、それぞれ可干渉性の平行光を入射させ、その後前記共役ホログラムディスクの表面上から第一の透明基板を取り外し、次にこの共役ホログラムディスク表面上に、前記第一の透明基板とは厚みが異なるとともに、プリフォーマットパターンを有するフォトマスクが、その表面に設けられた第二の透明基板を重合させ、その後前記第二の透明基板表面側からと、前記共役ホログラムディスクの裏面側から、前記第二の透明基板と共役ホログラムディスクの重合体に向けて、それぞれ可干渉性の平行光を入射させ、次にこの共役ホログラムディスクの表面に記録媒体を重合させ、その後前記記録媒体の表面側から前記共役ホログラムディスクと記録媒体の重合体に向けて可干渉性の平行光を入射させる記録媒体の製造方法。
【請求項２】
第一の透明基板、第二の透明基板は、それぞれガラス基板の表面に、金属製のフォトマスクを有する構成とした請求項１に記載の記録媒体の製造方法。
【請求項３】
第一の透明基板、第二の透明基板および共役ホログラムディスクの表面には、それぞれ位置合わせ用マーカーを設けた請求項１、または２に記載の記録媒体の製造方法。
【請求項４】
共役ホログラムディスクは、第一の透明基板、第二の透明基板のプリフォーマットパターン外に、貫通孔を有する構成とした請求項１から３のいずれか一つに記載の記録媒体の製造方法。
【請求項５】
記録媒体は円板状とし、この円板状記録媒体の中心には、貫通孔を設け、この貫通孔に対応する共役ホログラムディスクの表面には、位置合わせ用マーカーを設けた請求項１から４のいずれか一つに記載の記録媒体の製造方法。
【発明の詳細な説明】
【技術分野】
【０００１】
本発明は、記録媒体の製造方法に関するものである。
【背景技術】
【０００２】
近年、記録容量を大きくするために、下記特許文献１に示すごとく、多層記録された記録媒体が提案されている。
【０００３】
すなわち、下記特許文献１に示すものでは、円板状の記録媒体内の厚さ方向に、複数のホログラム層を多層状態で設けているので、記録容量は極めて大きくなる。
【０００４】
この特許文献１に示した従来例の特徴点は、記録媒体内に、マイクロホログラムが渦巻状に配置されたホログラム層を、複数層設けているので、この記録媒体への記録時でも、再生時でも、記録媒体の片側から、そのマイクロホログラムに向けて光を照射すれば良いという点である。
【０００５】
すなわち、記録時には、記録媒体の片側から、その記録部分のマイクロホログラムに光を照射し、光学的な変質を起こさせ、マイクロホログラムを消失させる部分と、光を照射せず、マイクロホログラムを残存させる部分とを形成することで、デジタル的な記録を行うことが出来る。
【０００６】
また、再生時にも、記録媒体の片側から、マイクロホログラムの消失部分と、マイクロホログラムの残存部分に光を照射し、そこからの反射光を読み取れば、デジタル的な再生を行うことが出来る。
【特許文献１】米国特許第７３８８６９５号明細書
【発明の開示】
【発明が解決しようとする課題】
【０００７】
上記従来例においては、記録媒体を次の手順により製造している。
【０００８】
先ず、マスターホログラムディスクの表面側と裏面側から干渉光を、目的とする位置に集光させてマイクロホログラムを作る。このマイクロホログラムはホログラム層一層でも渦巻状に複数個次々に作る必要があり、しかもホログラム層が複数必要なので、この作業は極めて大変な作業となる。
【０００９】
次に、完成済みのマスターホログラムディスクの裏面に、共役ホログラムディスクを重合させ、共役ホログラムディスクの裏面側から、前記マスターホログラムディスクと共役ホログラムディスクの重合体に平行光を入射させることで、前記共役ホログラムディスク内に複数層のホログラム層（各層のホログラム層は、マイクロホログラムが渦巻状に形成されている）を形成する。
【００１０】
その後、共役ホログラムディスクの表面側に記録媒体を重合させ、この記録媒体の表面側から、共役ホログラムディスクと記録媒体の重合体に向けて平行光を入射させることで、前記記録媒体内に、複数層のホログラム層（各層のホログラム層は、マイクロホログラムが渦巻状に形成されている）を形成する。
【００１１】
以上の製造方法において問題となるのは、マスターホログラムディスク内に形成したマイクロホログラムが徐々に劣化してしまうと言うことであった。
【００１２】
すなわち、記録媒体を大量に生産するためには、一つのマスターホログラムディスクから複数の共役ホログラムディスクを形成する必要があるが、この時に、毎回マスターホログラムディスクのマイクロホログラムには光が照射され、これによりマスターホログラムディスクのマイクロホログラムは徐々に劣化してしまうのであった。
【００１３】
勿論、マスターホログラムディスクの製造が簡単に行えるなら、定期的にマスターホログラムディスクを交換しながら共役ホログラムディスクを作れば良いのであるが、上述のごとくマスターホログラムディスクの製造は極めて大変なものであるので、このマスターホログラムディスク内のマイクロホログラムの劣化は大きな問題となってしまう。
【００１４】
そこで、本発明は、マスターとなるディスクの劣化を防止することを目的とするものである。
【課題を解決するための手段】
【００１５】
そして、この目的を達成するために本発明は、プリフォーマットパターンを有するフォトマスクが、その表面側に設けられた第一の透明基板を、共役ホログラムディスク表面上に重合させ、次に前記第一の透明基板の表面側からと、前記共役ホログラムディスクの裏面側から、前記第一の透明基板と共役ホログラムディスクの重合体に向けて、それぞれ可干渉性の平行光を入射させ、その後前記共役ホログラムディスクの表面上から第一の透明基板を取り外し、次にこの共役ホログラムディスク表面上に、前記第一の透明基板とは厚みが異なるとともに、プリフォーマットパターンを有するフォトマスクが、その表面に設けられた第二の透明基板を重合させ、その後前記第二の透明基板表面側からと、前記共役ホログラムディスクの裏面側から、前記第二の透明基板と共役ホログラムディスクの重合体に向けて、それぞれ可干渉性の平行光を入射させ、次にこの共役ホログラムディスクの表面に記録媒体を重合させ、その後前記記録媒体の表面側から前記共役ホログラムディスクと記録媒体の重合体に向けて可干渉性の平行光を入射させ、これにより所期の目的を達成するものである。
【発明の効果】
【００１６】
以上のように本発明は、プリフォーマットパターンを有するフォトマスクが、その表面側に設けられた第一の透明基板を、共役ホログラムディスク表面上に重合させ、次に前記第一の透明基板の表面側からと、前記共役ホログラムディスクの裏面側から、前記第一の透明基板と共役ホログラムディスクの重合体に向けて、それぞれ可干渉性の平行光を入射させ、その後前記共役ホログラムディスクの表面上から第一の透明基板を取り外し、次にこの共役ホログラムディスク表面上に、前記第一の透明基板とは厚みが異なるとともに、プリフォーマットパターンを有するフォトマスクが、その表面に設けられた第二の透明基板を重合させ、その後前記第二の透明基板表面側からと、前記共役ホログラムディスクの裏面側から、前記第二の透明基板と共役ホログラムディスクの重合体に向けて、それぞれ可干渉性の平行光を入射させ、次にこの共役ホログラムディスクの表面に記録媒体を重合させ、その後前記記録媒体の表面側から前記共役ホログラムディスクと記録媒体の重合体に向けて可干渉性の平行光を入射させるものであるので、マスターとなるディスクの劣化を防止することが出来る。
【００１７】
すなわち、本発明においては、共役ホログラムディスクを形成するための第一の透明基板、第二の透明基板には、プリフォーマットパターンを有するフォトマスクがその表面側に設けられているだけであるので、つまり第一の透明基板、第二の透明基板には、マイクロホログラムを設けていないので、幾度の使用を行っても劣化は発生しないのである。
【００１８】
この結果、記録媒体の生産性が極めて高くなるものとなる。
【発明を実施するための最良の形態】
【００１９】
以下、本発明の一実施形態を、添付図面を用いて説明する。
【００２０】
図１は記録媒体として、ホログラムディスク（ＭＨ）、ＣＤ、ＤＶＤ、ＢＤを記録、再生することが出来る電子機器を示している。
【００２１】
先ずは記録媒体として、ホログラムディスク（ＭＨ）を用いた場合における、記録、再生について説明する。
【００２２】
図１に示したホログラムディスク（ＭＨ）１は、図２に示すように円板状の板体２で構成され、その中心部分に形成した回転駆動用貫通孔２Ａには、駆動軸（図示せず）が挿入され、これによりホログラムディスク（ＭＨ）１は回転駆動されるようになっている。
【００２３】
本実施形態で用いるホログラムディスク（ＭＨ）１は図１に示すように、板体２の内部にあらかじめ複数の渦巻状のホログラム層３が所定間隔をおいて形成されたものである。
【００２４】
また、各渦巻状のホログラム層３は、図２、図３からも理解されるように、渦巻状のホログラム帯４により構成したものであるが、各層の渦巻状のホログラム帯４は、それぞれ上、下層の渦巻状のホログラム帯４とは分離されている。つまり、各層の渦巻状のホログラム帯４の外周端、内周端とも、それぞれ上、下方向に所定間隔をおいて配置されている。
【００２５】
本実施形態では、板体２の内部に、上、下に所定間隔をおいて配置された複数の渦巻状のホログラム帯４よりなる渦巻状のホログラム層３を形成したものであって、記録時には渦巻状のホログラム帯４に光を照射して光学的な変質を起こさせ、その部分の渦巻状のホログラム帯４を消失（例えばデジタル信号の０）させ、また光を照射しない部分の渦巻状のホログラム帯４は元の状態、つまり非消失（例えばデジタル信号の１）の状態として保持し、これにより円周方向に、断続的な「０」「１」のデジタル記録が行えるのである。
【００２６】
そして、再生時には、前記「０」「１」のデジタル信号を読み取って、再生を行うのである。
【００２７】
本実施形態における特徴点の一つは、図２、図３に示すごとく、渦巻状のホログラム層３の一層毎が、連続した渦巻状のホログラム帯４により構成されていることである。
【００２８】
各渦巻状のホログラム帯４は、図３に示すごとく上、下方向に複数の干渉縞を有するものであり、これら上、下方向の干渉縞のうち、上、下方向の中間層部分（例えば４Ｘ）は幅（渦巻状のホログラム帯４の長手方向に直行する方向）が広く、その中間層部分（例えば４Ｘ）から上方の上方層（例えば４Ｙ）になればなるほど幅は狭くなっており、また前記中間層部分（例えば４Ｘ）から下方の下方層（例えば４Ｚ）になればなるほど幅が狭くなっている。
【００２９】
以下、図１〜図３を用いて、ホログラムディスク（ＭＨ）１に形成した渦巻状のホログラム帯４への記録、再生について説明する。
【００３０】
図１のレーザダイオード５から出射された青色のレーザ光（４０５ｎｍ）は、リレーレンズ６、ビームスプリッタ７、液晶式の１／２波長板８、球面収差補正素子９、ビームスプリッタ１０、１／４波長板１１を通過し、レンズ１２を介して渦巻状のホログラム層３の目的とする層（深さ方向で目的とする層）の渦巻状のホログラム帯４に照射される（なお、目的とする層（深さ方向の層）に焦点を合わせるためには、レンズ１２とホログラムディスク（ＭＨ）１との距離を可変することとしている）。
【００３１】
この時は記録時であるので、渦巻状のホログラム帯４に照射するレーザ光を強く（読み取り時の約１０倍）しており、これによりレーザ光が照射された部分の、渦巻状のホログラム帯４は光学的な変性を起こして、その部分のホログラムが消失し、またレーザ光が照射されなかった部分の、渦巻状のホログラム帯４は光学的な変性は起こさず、非消失状態となる。つまりこれによりデジタル的な、いわゆる「０」「１」のデジタル信号による記録が行われる。
【００３２】
なお、ビームスプリッタ７は青色のレーザ光は通過させるが、赤色や赤外のレーザ光は通過させないものである。
【００３３】
また液晶式の１／２波長板８は電圧印加により偏光方向を変えるものであるが、この図１の場合は、０ＦＦ状態である。
【００３４】
さらにビームスプリッタ１０は、Ｐ偏光を通過させ、Ｓ偏光は反射させるものである。
【００３５】
次に、再生について説明する。
【００３６】
図１における破線矢印は渦巻状のホログラム帯４からの反射光を示し、この時は渦巻状のホログラム帯４に照射するレーザ光を弱く（記録時の１／１０）しているので、渦巻状のホログラム層３の渦巻状のホログラム帯４に光学的な変性は発生せず、ひたすら渦巻状のホログラム帯４からの反射光を受光素子１３で受光し、再生信号を得るようにしている。
【００３７】
渦巻状のホログラム帯４からの反射光は、レンズ１２に到達する前に一度１／４波長板１１を通過しているので、反射光として再度この１／４波長板１１を通過することでＰ偏光からＳ偏光となり、よってビームスプリッタ１０で反射され、次に球面収差補正素子１４、ＢＤのトラッキング用素子１５、焦点調整レンズ１６を介して上述のごとく受光素子１３に到達し、読み取りが行われるようになっている。
【００３８】
以上の説明で、基本的な構成と動作が理解されたところで、以下に各部の特徴点について説明する。
【００３９】
本実施形態においては、記録時、上記レーザダイオード５から出射された青色のレーザ光は、目的とする層の渦巻状のホログラム帯４に照射され、その照射部分の渦巻状のホログラム帯４を消失させることになる。
【００４０】
図４における４Ａ、４Ｂ部分が、この渦巻状のホログラム帯４の消失エリア（デジタル信号の例えば０）となり、このうち消失エリア４Ａは単発の消失エリアで、４Ｂは渦巻状のホログラム帯４の長手方向に、渦巻状のホログラム帯４の消失エリア４Ａが連続形成された状態を示している。
【００４１】
また、これらの消失エリア４Ａ、４Ｂ以外の渦巻状のホログラム帯４は、例えば非消失エリア（デジタル信号の例えば１）４Ｃ、４Ｄとなっており、このうち非消失エリア４Ｃは単発的な非消失エリアで、４Ｄは非消失エリア４Ｃが連続形成された状態を示している。
【００４２】
本実施形態においては、図４の消失エリア４Ａに示した５Ａが、上記レーザダイオード５から出射され、渦巻状のホログラム帯４に照射された青色のレーザ光（円形光）を示している。
【００４３】
ここで重要なことは、本実施形態の記録時においては、図５に示すごとく、渦巻状のホログラム帯４に照射する青色のレーザ光（円形光）５Ａは、エネルギーレベルＫを超えた部分が、渦巻状のホログラム帯４の長手方向に直交する方向の幅よりも小さくなるようにしていることであり、これにより本実施形態では記録時のレーザ光（円形光）５Ａを、以降は図５の小径の５ａと表現する。
【００４４】
そして、さらに特徴的なことは、記録時のこの小径のレーザ光（円形光）５ａを図４のごとく、渦巻状のホログラム帯４の長手方向の両側に非照射部分が出来るように、長手方向の中心線部分を掃引する状態で照射することである。
【００４５】
つまり、このようにすれば、記録時に図４に示すように、レーザダイオード５からレーザ光（円形光）５ａを出射すれば、渦巻状のホログラム帯４の長手方向には、渦巻状のホログラム帯４の消失エリア４Ａ、４Ｂと非消失エリア４Ｃ、４Ｄが形成されるが、さらに前記消失エリア４Ａ、４Ｂであっても、渦巻状のホログラム帯４の長手方向に直交する方向の両側には、渦巻状のホログラム帯４の非消失エリア４Ｅ、４Ｆが形成される。
【００４６】
これらの非消失エリア４Ｅ、４Ｆにおいては、図３から理解されるようにホログラム（４Ｘ、およびその近傍のホログラム）が存在しており、本実施形態ではこのように非消失エリア４Ｅ、４Ｆであっても残存しているホログラム（４Ｘ、およびその近傍のホログラム）をトラッキング情報として活用するものである。
【００４７】
勿論、非消失エリア４Ｃ、４Ｄにおいては、渦巻状のホログラム帯４の長手方向に直交する両側には同じく図３に示すホログラム（４Ｘ、およびその近傍のホログラム）が存在しているので、結論として渦巻状のホログラム帯４の長手方向に直交する両側にはトラッキング情報エリアが形成された状態となっており、このトラッキング情報エリアからのトラッキング情報を活用し、適切なトラッキング制御を行うことが出来るようになる。
【００４８】
また、このようなトラッキング情報エリアは、内層の渦巻状のホログラム帯４であっても形成されているので、この内層の渦巻状のホログラム帯４への記録、再生時にも、このトラッキング情報エリアからのトラッキング情報を活用し、適切なトラッキング制御を行うことが出来るようになるのである。
【００４９】
また、このようなトラッキング情報エリアは、消失エリア４Ａ、４Ｂであっても、渦巻状のホログラム帯４の長手方向に直交する方向の幅の両側に非消失エリア４Ｅ、４Ｆを残すだけで形成することができるので、極めて安定的に形成出来るものとなる。
【００５０】
図６、図７は上記トラッキング情報エリアからのトラッキング情報によりトラッキングを行う状態を説明するものである。
【００５１】
なお、トラッキング制御としては位相差法や、３ビーム法が存在し、それらの制御は良く知られたものであるので、本実施形態では、この部分については簡単な説明にとどめる。
【００５２】
図６は、再生時におけるトラッキング制御を示している。この時、レーザダイオード５から照射されるレーザ光（円形光）５Ａは、再生時であるので、渦巻状のホログラム帯４に実際に現れる大きさの５Ａとしている。
【００５３】
このようなレーザ光（円形光）５Ａが渦巻状のホログラム帯４に掃引、照射されると渦巻状のホログラム帯４の長手方向に直交する両側に存在するトラッキング情報エリアからのトラッキング情報により受光素子１３に接続された位相比較器（図７の１３Ａ）では、内外へのずれが検出される。
【００５４】
図７（ｂ）はトラッキングずれの無い状態で、この時には、位相を考慮した位相比較器１３ＡでのＡ＋ＣとＢ＋Ｄの位相が同じ状態となるので、レンズ１２のトラッキング制御は行われない。
【００５５】
図７（ａ）は、レーザ光（円形光）５Ａが渦巻状のホログラム帯４の非消失エリア４Ｆ側に片寄った状態を示し、この時にはＢ＋Ｄの位相がＡ＋Ｃの位相よりも早く検出されるので、この非消失エリア４Ｆ側に片寄った状態が検出され、その結果としてレンズ１２を中央に戻すトラッキング制御が行われる。
【００５６】
図７（ｃ）は、レーザ光（円形光）５Ａが渦巻状のホログラム帯４の非消失エリア４Ｅ側に片寄った状態を示し、この時にはＡ＋Ｃの位相がＢ＋Ｄの位相よりも早く検出されるので、この非消失エリア４Ｅ側に片寄った状態が検出され、その結果としてレンズ１２を中央に戻すトラッキング制御が行われる。
【００５７】
以上のごとく、本実施形態によれば、トラッキング情報エリアからのトラッキング情報を活用し、適切なトラッキング制御を行うことが出来る。
【００５８】
本実施形態で、最も大きな特徴点は、図２のごとく、板体２の内部に、上、下方向に所定間隔をおいて複数の渦巻状のホログラム層３を設けたものにおいて、各渦巻状のホログラム層３を構成する渦巻状のホログラム帯４の内周側のホログラム（図８の４Ｇ）に、層検出情報を記録したことである。
【００５９】
また、この内周側のホログラム（図８の４Ｇ）の両側にも、上述したトラッキング情報エリアが存在する。
【００６０】
なお、本実施形態では、上述のごとく一層毎の渦巻状のホログラム層３が、連続した渦巻状のホログラム帯４により構成されているので、前記ホログラム（図８の４Ｇ）は、各渦巻状のホログラム帯４の最内周部近傍に、何層目かを示す「１」「０」のデジタル信号を、レーザダイオード５からのレーザ光（円形光）５ａにより書き込むか、あるいは、各渦巻状のホログラム帯４の作成時に、この内周部分に事前に作成してしまうか、により形成される。
【００６１】
そして、このように各渦巻状のホログラム層３を構成する渦巻状のホログラム帯４の最内周側のホログラム帯４Ｇ（図８）に、何層目かを示す層検出情報を記録しておけば、各層への記録や再生時に、この内周部のホログラム帯４Ｇ（図８）により、記録、あるいは再生するための目的とする渦巻状のホログラム層３を確認することができる。
【００６２】
また、図２、図３に示す各渦巻状のホログラム帯４の両側には、現在市販されているＤＶＤ等と同じようにアドレス情報（これらの図２、図３の図面の煩雑化を避ける為に図示せず）が書き込まれているので、目的層の目的番地は、上記渦巻状のホログラム帯４の両側のアドレス情報で、確認できる構成となっている。
【００６３】
このアドレス確認についていま少し説明をすると、図４〜図６からも理解されるように、レーザ光（円形光）５Ａは渦巻状のホログラム帯４よりも大きくなっているので、各層の渦巻状のホログラム帯４の両側にアドレス情報を書き込んでおけば、この各層毎のアドレス情報をレーザ光（円形光）５Ａで簡単に読めるようになっているのである。
【００６４】
つまり、本実施形態では、上下に複数配置した各渦巻状のホログラム層３の目的とする場所は、先ず上述した各渦巻状のホログラム層３を構成する渦巻状のホログラム帯４の内周側のホログラム（図８の４Ｇ）で、何層目かを確認し、次に各渦巻状のホログラム帯４の両側のアドレス情報で、最終的なアドレス確認をすることで、最終的な確認が行える構成となっている。
【００６５】
そしてこのような目的場所（記録場所、あるいは再生場所）の確認をしながら記録や再生を行っている時に、衝撃が加わると、図９（ａ）の状態から、図９（ｂ）のごとく、レンズ１２が移動して（飛んで）しまう。
【００６６】
この状態になると、レンズ１２が、移動後の今、何層目の渦巻状のホログラム層３にスポット位置（記録場所、あるいは再生場所）があるのかが判別できず、この図９（ｂ）の状態から直ちに図９（ａ）の状態へと復帰させることは出来ない。
【００６７】
そこで、本実施形態では、図１０に示す制御回路により、この図９（ｂ）の状態から図９（ａ）の復帰動作を行わせる。
【００６８】
具体的には、上述した衝撃により、図９（ｂ）の状態となると、図１に示した受光素子１３を介して確認している位置情報が喪失状態となるので、これを図１０に示した位置情報喪失検出部１７が検出し、これを制御部１８に伝達する。
【００６９】
制御部１８は、駆動部１９によりレンズ１２を、図９（ｃ）に示すごとく、図９（ｂ）の状態から水平方向に、板体２の中心部分に形成した回転駆動用貫通孔２Ａ側（内周側）へと移動させる。
【００７０】
この図９（ｃ）に示す場所（内周側）までレンズ（光供給手段の一例）１２が移動されると、その部分で直近のホログラム帯４Ｇから、何層目かを示す層検出情報を読み出し、これで位置情報認識部２０により、何層目に移動したか（飛んだか）が、先ずは検出される。
【００７１】
制御部１８は、この位置情報認識部２０からの位置情報と、図９（ａ）に示している衝撃前の位置情報保持部２１の位置情報とから、レンズ１２の焦点が、先ずは図９（ｄ）の位置（図９（ａ）と同じ層位置）になるように、このレンズ１２を移動させ（レンズ１２と板体２との相対距離が可変されるように移動させ）、次に移動後の渦巻状のホログラム帯４の両側に設けたアドレス情報を確認しながら、図９（ｄ）の位置へとレンズ１２を駆動部１９により移動させ、これにより復帰動作が完了する。
【００７２】
なお、本実施形態において、各渦巻状のホログラム層３を構成する渦巻状のホログラム帯４内周側のホログラム（図８の４Ｇ）に、層検出情報を記録した理由は、円板状の板体２においては、内周側ほど、長期使用における変形が少ないということと、その極近傍の回転駆動用貫通孔２Ａに、駆動軸（図示せず）が挿入され、保持されるので、レンズ１２との間隔位置が安定することの、二つの理由からである。
【００７３】
本実施形態品では、上述したホログラムディスク（ＭＨ）１以外にも、他の情報媒体の記録、再生も行うことが出来る。
【００７４】
図１１はレンズ２２を、ＣＤ２３の記録、再生用として活用する状態を示している。
【００７５】
つまり、ＣＤ２３はレンズ２２とは離れた面に信号を記録し、またはそこから信号を読み出すものであるので、レンズ１２よりもＮＡが小さなレンズ２２を活用する。
【００７６】
この場合、レーザダイオード２４からは赤外光のレーザ光（７８５ｎｍ）が出射され、これがビームスプリッタ７で反射される。この時には、液晶式の１／２波長板８に電圧印加しているので、ビームスプリッタ７で反射された光はＳ偏光となり、次のビームスプリッタ１０で反射される。
【００７７】
ビームスプリッタ１０で反射した赤外光のレーザ光は、反射器２５で反射され、１／４波長板２６を通過後、レンズ２２を介してＣＤ２３の目的とする部分に照射される。
【００７８】
この時は記録時であるので、ＣＤ２３に照射するレーザ光を、読み取り時よりも強くしており、これによりレーザ光が照射されたＣＤ２３への記録が行える。
【００７９】
次にＣＤ２３の再生について説明する。
【００８０】
図１１における破線矢印は信号再生時におけるＣＤ２３からの反射光を示し、この時はＣＤ２３に照射するレーザ光を、記録時よりも弱くしているので、ひたすらＣＤ２３からの反射光を受光素子１３で受光し、再生信号を得るようにしている。
【００８１】
ＣＤ２３からの反射光は、レンズ２２に到達する前に一度１／４波長板２６を通過しているので、反射波として再度通過することでＳ偏光からＰ偏光となり、よって反射器２５で反射後、ビームスプリッタ１０を通過し、次に球面収差補正素子１４、ＢＤのトラッキング用素子１５、焦点調整レンズ１６を介して上述のごとく受光素子１３に到達するようになっている。
【００８２】
図１２はレンズ２２を、ＤＶＤ２７の記録、再生用として活用する状態を示している。
【００８３】
つまり、ＤＶＤ２７はレンズ２２とは離れた面（中央部分）に信号を記録し、または読み出すものであるので、ＮＡの小さなレンズ２２が活用できる。
【００８４】
この場合、レーザダイオード２４からは赤色のレーザ光（６６０ｎｍ）が出射され、これがビームスプリッタ７で反射される。この時、液晶式の１／２波長板８に電圧印加することでＳ偏光にし、これによりビームスプリッタ１０で反射される。
【００８５】
ビームスプリッタ１０で反射した赤外光のレーザ光は、反射器２５で反射され、１／４波長板２６を通過後、レンズ２２を介してＤＶＤ２７の目的とする部分に照射される。
【００８６】
この時は記録時であるので、ＤＶＤ２７に照射するレーザ光を、読み取り時よりも強くしており、これによりレーザ光が照射されたＤＶＤ２７への記録が行える。
【００８７】
次にＤＶＤ２７の再生について説明する。
【００８８】
図１２における破線矢印は信号再生時におけるＤＶＤ２７からの反射光を示し、この時はＤＶＤ２７に照射するレーザ光を、記録時よりも弱くしているので、ひたすらＤＶＤ２７からの反射光を受光素子１３で受光し、再生信号を得るようにしている。
【００８９】
ＤＶＤ２７からの反射光は、レンズ２２に到達する前に一度１／４波長板２６を通過しているので、反射光として１／４波長板２６を再度通過することでＳ偏光からＰ偏光となり、よって反射器２５で反射後、ビームスプリッタ１０を通過し、次に球面収差補正素子１４、ＢＤのトラッキング用素子１５、焦点調整レンズ１６を介して上述のごとく受光素子１３に到達するようになっている。
【００９０】
図１３はレンズ１２を、ＢＤ２８の記録、再生用として活用する状態を示している。
【００９１】
つまり、ＢＤ２８はレンズ１２の近傍に信号を記録し、またはそこから信号を読み出すものであるので、ＮＡの大きなレンズ１２が活用できる。
【００９２】
先ずは、図１３を用いて、ＢＤ２８への記録について説明する。
【００９３】
レーザダイオード５から出射された青色のレーザ光（４０５ｎｍ）は、リレーレンズ６、ビームスプリッタ７、液晶式の１／２波長板８、球面収差補正素子９、ビームスプリッタ１０、１／４波長板１１を通過し、レンズ１２を介してＢＤ２８の目的部分に照射される。
【００９４】
この時は記録時であるので、ＢＤ２８に照射されるレーザ光を、読み取り時よりも強くしており、これによりレーザ光が照射されたＢＤ２８への記録が行われる。
【００９５】
なお、液晶式の１／２波長板８は電圧印加しておらず、偏光方向の変化は行われない。
【００９６】
次にＢＤ２８の再生について説明する。
【００９７】
図１３における破線矢印は信号再生時におけるＢＤ２８からの反射光を示し、この時はＢＤ２８に照射するレーザ光を、記録時よりも小さくしているので、ひたすらＢＤ２８からの反射光を受光素子１３で受光し、再生信号を得るようにしている。
【００９８】
ＢＤ２８からの反射光は、レンズ１２に到達する前に一度１／４波長板１１を通過しているので、反射光として１／４波長板１１を再度通過することでＰ偏光からＳ偏光となり、よってビームスプリッタ１０で反射され、次に球面収差補正素子１４、ＢＤのトラッキング用素子１５、焦点調整レンズ１６を介して上述のごとく受光素子１３に到達するようになっているのである。
【００９９】
以下本実施形態における最も大きな特徴点であるホログラムディスク（ＭＨ）１の製造方法について、図１４〜図２４を用いて説明する。
【０１００】
図１４〜図１６は、図１７（ａ）、図１７（ｂ）に示したように渦巻状のプリフォーマットパターン２９を有するフォトマスク３０が、その表面側に設けられた第一、第二、第三の透明基板３１、３２、３３を示している。なお、第一、第二、第三の透明基板３１、３２、３３の表面側に設けたフォトマスク３０は、渦巻状のプリフォーマットパターン２９を含め形状、大きさなどは全て同じものとしている。
【０１０１】
これらの第一、第二、第三の透明基板３１、３２、３３は、いずれも、ガラス基板の表面に、金属製のフォトマスク３０を設けた構成となっている。
【０１０２】
金属製のフォトマスク３０は、ＮｉやＣｒをガラス基板の表面に蒸着することで形成されている。
【０１０３】
また、第一、第二、第三の透明基板３１、３２、３３は、ガラス基板の板厚を、例えば１０ミクロンずつ異ならせており、この中では第一の透明基板３１が最も板厚が厚く、次に第二の透明基板３２の板厚が厚く、最後に第三の透明基板３３が最も板厚が薄いものとなっている。なお、ここでは、第一、第二、第三の透明基板３１、３２、３３しか記載していないが、図３に示した渦巻状のホログラム帯４により構成され図２の渦巻状のホログラム層３を、板体２内に何層作るかによって、用いる透明基板の数が決定される。
【０１０４】
例えば、板体２内に渦巻状のホログラム層３を１０層作るのであれば、１０枚の透明基板が必要となる。
【０１０５】
図１８は、プリフォーマットパターン２９を有するフォトマスク３０が、その表面側に設けられた第一の透明基板３１を、樹脂製の共役ホログラムディスク３４の表面上に重合させた状態を示している。
【０１０６】
そしてこの状態で図１９のごとく、前記第一の透明基板３１の表面側からと、前記共役ホログラムディスク３４の裏面側から、前記第一の透明基板３１と共役ホログラムディスク３４の重合体に向けて、それぞれ可干渉性の平行光３５を入射させる。
【０１０７】
すると、フォトマスク３０のプリフォーマットパターン２９を通過し、次に第一の透明基板３１を通過し、共役ホログラムディスク３４内に進入した光と、共役ホログラムディスク３４の裏面側からこの共役ホログラムディスク３４内に進入した光が、共役ホログラムディスク３４内で干渉し、干渉縞のパターンが樹脂の屈折率変化により記録される。なお、このとき生じる樹脂の屈折率変化量が、この樹脂の最大の屈折率変化量より十分に小さくなるように、平行光３５の光量が調整される。
【０１０８】
次に、その後前記共役ホログラムディスク３４の表面上から第一の透明基板３１を取り外し、図２０のごとく、この共役ホログラムディスク３４の表面上に、前記第一の透明基板３１とは厚みが異なるとともに、プリフォーマットパターン２９を有するフォトマスク３０が、その表面に設けられた第二の透明基板３２を重合させる。
【０１０９】
この状態で図２０のごとく、前記第二の透明基板３２表面側からと、前記共役ホログラムディスク３４の裏面側から、前記第二の透明基板３２と共役ホログラムディスク３４の重合体に向けて、それぞれ可干渉性の平行光３５を入射させる。
【０１１０】
すると、フォトマスク３０のプリフォーマットパターン２９を通過し、次に第二の透明基板３２を通過し、共役ホログラムディスク３４内に進入した光と、共役ホログラムディスク３４の裏面側からこの共役ホログラムディスク３４内に進入した光が、共役ホログラムディスク３４内で干渉し、干渉縞が作られるが、第二の透明基板３２は、その板厚が第一の透明基板３１とは異なるので、第一の透明基板３１を用いたときに形成された干渉縞とは異なるパターンの干渉縞が多重形成される。なお、このとき生じる樹脂の屈折率変化量が、この樹脂の最大の屈折率変化量より十分に小さくなるように、平行光３５の光量が調整されるので、上記の多重形成が可能である。
【０１１１】
次に、その後前記共役ホログラムディスク３４の表面上から第二の透明基板３２を取り外し、図２１のごとく、この共役ホログラムディスク３４の表面上に、前記第一、第二の透明基板３１、３２とは厚みが異なるとともに、プリフォーマットパターン２９を有するフォトマスク３０が、その表面に設けられた第三の透明基板３３を重合させる。
【０１１２】
この状態で図２１のごとく、前記第三の透明基板３３表面側からと、前記共役ホログラムディスク３４の裏面側から、前記第三の透明基板３３と共役ホログラムディスク３４の重合体に向けて、それぞれ可干渉性の平行光３５を入射させる。
【０１１３】
すると、フォトマスク３０のプリフォーマットパターン２９を通過し、次に第三の透明基板３３を通過し、共役ホログラムディスク３４内に進入した光と、共役ホログラムディスク３４の裏面側からこの共役ホログラムディスク３４内に進入した光が、共役ホログラムディスク３４内で干渉し、干渉縞が作られるが、第三の透明基板３３は、第一、第二の透明基板３１、３２とは板厚が異なるので、第一、第二の透明基板３１、３２を用いたときに形成された干渉縞とは異なるパターンの干渉縞が多重形成される。なお、このとき生じる樹脂の屈折率変化量が、この樹脂の最大の屈折率変化量より十分に小さくなるように、平行光３５の光量が調整されるので、上記の多重形成が可能である。
【０１１４】
そして、このようにして図２２に示すように、共役ホログラムディスク３４が形成される。
【０１１５】
次に、図２３に示すように、この共役ホログラムディスク３４の表面に記録媒体としてホログラムディスク（ＭＨ）１用の板体２を重合させ、その後前記板体２の表面側から前記共役ホログラムディスク３４と板体２の重合体に向けて可干渉性の平行光３５を入射させる。
【０１１６】
すると、前記板体２の表面側から前記共役ホログラムディスク３４と板体２の重合体に向けて入射させた可干渉性の平行光３５と、この平行光３５が共役ホログラムディスク３４内の干渉縞から反射した光と干渉し、この結果として記録媒体となる板体２内に図３に示した渦巻状のホログラム帯４が、希望する渦巻状のホログラム層３分だけ形成されることになる。
【０１１７】
以上の製造方法において生産性を高めるためには、共役ホログラムディスク３４を大量に作成する必要があるが、この共役ホログラムディスク３４を作るための第一、第二、第三の透明基板３１、３２、３３は、いずれも、ガラス基板の表面に、金属製のフォトマスク３０を設けた構成となっており、しかも金属製のフォトマスク３０は、ＮｉやＣｒをガラス基板の表面に蒸着することで形成されているので、何度使用しても劣化することは無く、生産性の高いものとなる。
【０１１８】
また、第一、第二、第三の透明基板３１、３２、３３のガラス基板の表面に設ける金属製のフォトマスク３０は同じものであるので、各第一、第二、第三の透明基板３１、３２、３３にフォトマスク３０成作も簡単に行うことが出来る。
【０１１９】
ただし、本実施形態においては、第一、第二、第三の透明基板３１、３２、３３を順次共役ホログラムディスク３４の表面上に設置する必要があるので、その位置合わせが簡単に出来るように、図１７のごとく、第一、第二、第三の透明基板３１、３２、３３の表面には、それぞれ位置合わせ用マーカー３６を設けている。図示していないが、勿論共役ホログラムディスク３４の表面にも、位置合わせ用マーカー３６を設けている。
【０１２０】
また、共役ホログラムディスク３４には、第一、第二、第三の透明基板３１、３２、３３のプリフォーマットパターン２９外に対応する部分に、貫通孔（図示せず）を設けており、共役ホログラムディスク３４の表面から、第一、第二、第三の透明基板３１、３２、３３を剥がす時には、共役ホログラムディスク３４の裏面側から、前記貫通孔に空気を噴射し、これにより共役ホログラムディスク３４の表面から、第一、第二、第三の透明基板３１、３２、３３を簡単に剥がすことができるようにしている。
【０１２１】
また、記録媒体である板体２は上述のごとく円板状で、その中心には、図２のごとく回転駆動用貫通孔２Ａが設けられているが、この回転駆動用貫通孔２Ａに対応する共役ホログラムディスク３４の表面には、位置合わせ用マーカー（図示せず）を設けており、この位置合わせ用マーカー（図示せず）を利用して、記録媒体である板体２と共役ホログラムディスク３４との位置合わせが簡単に行えるようにしている。
【産業上の利用可能性】
【０１２２】
以上のように本発明は、プリフォーマットパターンを有するフォトマスクが、その表面側に設けられた第一の透明基板を、共役ホログラムディスク表面上に重合させ、次に前記第一の透明基板の表面側からと、前記共役ホログラムディスクの裏面側から、前記第一の透明基板と共役ホログラムディスクの重合体に向けて、それぞれ可干渉性の平行光を入射させ、その後前記共役ホログラムディスクの表面上から第一の透明基板を取り外し、次にこの共役ホログラムディスク表面上に、前記第一の透明基板とは厚みが異なるとともに、プリフォーマットパターンを有するフォトマスクが、その表面に設けられた第二の透明基板を重合させ、その後前記第二の透明基板表面側からと、前記共役ホログラムディスクの裏面側から、前記第二の透明基板と共役ホログラムディスクの重合体に向けて、それぞれ可干渉性の平行光を入射させ、次にこの共役ホログラムディスクの表面に記録媒体を重合させ、その後前記記録媒体の表面側から前記共役ホログラムディスクと記録媒体の重合体に向けて可干渉性の平行光を入射させるものであるので、マスターとなるディスクの劣化を防止することが出来る。
【０１２３】
すなわち、本発明においては、共役ホログラムディスクを形成するための第一、第二の透明基板には、プリフォーマットパターンを有するフォトマスクがその表面側に設けられているだけであるので、つまり第一、第二の透明基板には、マイクロホログラムを設けていないので、幾度の使用を行っても劣化は発生しないのである。
【０１２４】
この結果、記録媒体の生産性が極めて高くなるものとなる。
【０１２５】
このため、記録媒体の生産に広く活用が期待される。
【図面の簡単な説明】
【０１２６】
【図１】本発明の一実施形態を示すブロック図
【図２】本発明の一実施形態のホログラムディスク（記録媒体）を示す透視斜視図
【図３】図２の一部拡大透視図
【図４】本発明の一実施形態のホログラムディスク（記録媒体）を示す一部拡大平面図
【図５】図４のレーザ光（円形光）５Ａのエネルギーレベルを示す特性図
【図６】図４の再生時を示す一部拡大平面図
【図７】図４の再生時のトラッキング制御を示す図
【図８】本発明の一実施形態のホログラムディスク（記録媒体）を示す拡大斜視図
【図９】（ａ）〜（ｄ）は、動作説明を行うための図
【図１０】本発明の一実施形態の制御回路を示すブロック図
【図１１】本発明の一実施形態でＣＤの記録、再生時のブロック図
【図１２】本発明の一実施形態でＤＶＤの記録、再生時を示すブロック図
【図１３】本発明の一実施形態でＢＤの記録、再生時を示すブロック図
【図１４】本発明の一実施形態の製造方法で使用する第一の透明基板の断面図
【図１５】本発明の一実施形態の製造方法で使用する第二の透明基板の断面図
【図１６】本発明の一実施形態の製造方法で使用する第三の透明基板の断面図
【図１７】（ａ）は本発明の一実施形態の製造方法で使用する第二の透明基板の平面図、（ｂ）は本発明の一実施形態の製造方法で使用する第二の透明基板の断面図
【図１８】本発明の一実施形態の製造方法で使用する断面図
【図１９】本発明の一実施形態の製造方法で使用する断面図
【図２０】本発明の一実施形態の製造方法で使用する断面図
【図２１】本発明の一実施形態の製造方法で使用する断面図
【図２２】本発明の一実施形態の製造方法で使用する断面図
【図２３】本発明の一実施形態の製造方法で使用する断面図
【図２４】本発明の一実施形態の製造方法で使用する断面図
【符号の説明】
【０１２７】
１    ホログラムディスク（ＭＨ）
２    板体
２Ａ    回転駆動用貫通孔
３    渦巻状のホログラム層
４    渦巻状のホログラム帯
４Ａ，４Ｂ    消失エリア
４Ｃ，４Ｄ，４Ｅ，４Ｆ    非消失エリア
４Ｇ    内周部のホログラム帯
５，２４    レーザダイオード
５Ａ，５ａ    レーザ光（円形光）
６    リレーレンズ
７，１０    ビームスプリッタ
８    液晶式の１／２波長板
９，１４    球面収差補正素子
１１，２６    １／４波長板
１２，２２    レンズ
１３    受光素子
１３Ａ    位相比較器
１５    トラッキング用素子
１６    焦点調整レンズ
１７    位置情報喪失検出部
１８    制御部
１９    駆動部
２０    位置情報認識部
２１    位置情報保持部
２３    ＣＤ
２５    反射器
２７    ＤＶＤ
２８    ＢＤ
２９    プリフォーマットパターン
３０    フォトマスク
３１    第一の透明基板
３２    第二の透明基板
３３    第三の透明基板
３４    共役ホログラムディスク
３５    平行光
３６    位置合わせ用マーカー
【図１】
2010197584.tif 000003
【図２】
2010197584.tif 000004
【図３】
2010197584.tif 000005
【図４】
2010197584.tif 000006
【図５】
2010197584.tif 000007
【図６】
2010197584.tif 000008
【図７】
2010197584.tif 000009
【図８】
2010197584.tif 000010
【図９】
2010197584.tif 000011
【図１０】
2010197584.tif 000012
【図１１】
2010197584.tif 000013
【図１２】
2010197584.tif 000014
【図１３】
2010197584.tif 000015
【図１４】
2010197584.tif 000016
【図１５】
2010197584.tif 000017
【図１６】
2010197584.tif 000018
【図１７】
2010197584.tif 000019
【図１８】
2010197584.tif 000020
【図１９】
2010197584.tif 000021
【図２０】
2010197584.tif 000022
【図２１】
2010197584.tif 000023
【図２２】
2010197584.tif 000024
【図２３】
2010197584.tif 000025
【図２４】
2010197584.tif 000026